(57)【要約】  本発明は、オーディオ情報識別方法及び装置を開示し、オーディオ識別技術分野に関する。上記オーディオ情報識別方法は、再生中のオーディオを識別して、上記オーディオのオーディオ情報を獲得し、上記オーディオ情報の中のキーワードのために設定した移動リンクを情報提示インターフェースに表示し、上記移動リンクがトリガーされると、上記キーワードに対応する事前記憶情報を表示するステップを含む。再生中のオーディオを識別することで、当該オーディオのオーディオ情報を獲得し、当該オーディオ情報の中のキーワードのために設定した移動リンクを表示し、移動リンクがトリガーされると、キーワードに対応する事前記憶情報を表示する。移動リンクを提供することで、オーディオに対応されているより多い情報を提供できるため、一つのインターフェースのみでオーディオ情報を表示可能であり、提示可能な情報が比較的少ないという問題を解決し、オーディオ情報の多様性を向上させる効果を達成する。【選択図】図１
2017517828.tif 000002
【特許請求の範囲】
【請求項１】
再生中のオーディオを識別して、前記オーディオのオーディオ情報を獲得するステップと、
前記オーディオ情報の中のキーワードのために設定した移動リンクを、情報提示インターフェースに表示するステップと、
前記移動リンクがトリガーされると、前記キーワードに対応する事前記憶情報を表示するステップとを含む
ことを特徴とするオーディオ情報識別方法。
【請求項２】
請求項１において、
再生中のオーディオを識別して、前記オーディオのオーディオ情報を獲得するステップは、
前記オーディオに対して識別を行い、前記オーディオのオーディオ特徴を獲得するステップと、
前記オーディオ特徴をサーバーへ送信するステップと、
前記サーバーからフィードバックした前記オーディオ情報を受信するステップとを含み、
前記オーディオ特徴は、前記オーディオのテキスト情報及び個人識別情報の中の前者又は両者と関連され、
前記オーディオ特徴は、前記サーバーをトリガーして、前記オーディオ特徴とマッチングされるオーディオ情報を検索させ、検索された前記オーディオ情報をフィードバックさせるためのものである
ことを特徴とするオーディオ情報識別方法。
【請求項３】
請求項１において、
所定時間間隔毎に前記再生中のオーディオを取得するステップ、
又は、
再生中のオーディオを識別するための識別コマンドを受信して、前記再生中のオーディオを取得するステップを
更に含むことを特徴とするオーディオ情報識別方法。
【請求項４】
請求項１において、
前記オーディオに対応する完整なオーディオの再生リンクおよびダウンロードリンクを、前記情報提示インターフェースに表示するステップと
前記再生リンクがトリガーされると、前記完整なオーディオを再生するステップと
前記ダウンロードリンクがトリガーされると、前記完整なオーディオをダウンロードするステップとを
更に含むことを特徴とするオーディオ情報識別方法。
【請求項５】
請求項１において、
前記オーディオ情報の中のキーワードに対応する検索ウィジェットを前記情報提示インターフェース内に表示するステップと、
一つのキーワードの検索ウィジェットがトリガーされると、前記キーワードに対応する検索結果が表示されている、前記キーワードの検索インターフェースを表示するステップとを更に含み、
ことを特徴とするオーディオ情報識別方法。
【請求項６】
請求項１〜５の何れか一項において、
前記移動リンクを表示した後、自動的に前記オーディオ情報および前記移動リンクを事前記憶リストに記憶するステップ
又は、
前記オーディオ情報および前記移動リンクを記憶するように指示するための記憶コマンドを受信して、前記オーディオ情報および前記移動リンクを事前記憶リストに記憶するステップを
更に含むことを特徴とするオーディオ情報識別方法。
【請求項７】
再生中のオーディオを識別して、前記オーディオのオーディオ情報を獲得するように配置される識別モジュールと、
前記識別モジュールが識別して獲得した前記オーディオ情報の中のキーワードのために設定した移動リンクを、情報提示インターフェースに表示するように配置される第１の表示モジュールと、
前記第１の表示モジュールが表示した前記移動リンクがトリガーされると、前記キーワードに対応する事前記憶情報を表示するように配置される第２の表示モジュールとを含む
ことを特徴とするオーディオ情報識別装置。
【請求項８】
請求項７において、
前記オーディオに対して識別を行い、前記オーディオのオーディオ特徴を獲得するように配置され、前記オーディオ特徴が、前記オーディオのテキスト情報及び個人識別情報の中の前者又は両者と関連される、識別サブモジュールと、
前記識別サブモジュールが識別して獲得した前記オーディオ特徴をサーバーへ送信するように配置され、前記オーディオ特徴が、前記サーバーをトリガーして、前記オーディオ特徴とマッチングされるオーディオ情報を検索させ、検索された前記オーディオ情報をフィードバックさせるためのものである、送信サブモジュールと、
前記サーバーからフィードバックした前記オーディオ情報を受信するように配置される受信サブモジュールとを含む
ことを特徴とするオーディオ情報識別装置。
【請求項９】
請求項７において、
所定時間間隔毎に前記再生中のオーディオを取得するように配置される第１の取得モジュール、
又は、
再生中のオーディオを識別するための識別コマンドを受信して、前記再生中のオーディオを取得するように配置される第２の取得モジュールを
更に含むことを特徴とするオーディオ情報識別装置。
【請求項１０】
請求項７において、
前記オーディオに対応する完整なオーディオの再生リンクおよびダウンロードリンクを前記情報提示インターフェースに表示するように配置される、第３の表示モジュールと、
前記第３の表示モジュールに表示された前記再生リンクがトリガーされると、前記完整なオーディオを再生するように配置される再生モジュールと、
前記第３の表示モジュールに表示された前記ダウンロードリンクがトリガーされると、前記完整なオーディオをダウンロードするように配置されるダウンロードモジュールとを
更に含むことを特徴とするオーディオ情報識別装置。
【請求項１１】
請求項７において、
前記オーディオ情報の中のキーワードに対応する検索ウィジェットを、前記情報提示インターフェース内に表示するように配置される第４の表示モジュールと、
前記第４の表示モジュールに表示された一つのキーワードの検索ウィジェットがトリガーされると、前記キーワードの検索インターフェースを表示し、前記検索インターフェースに前記キーワードに対応する検索結果が表示されているように配置される第５の表示モジュールとを
更に含むことを特徴とするオーディオ情報識別装置。
【請求項１２】
請求項７〜１１の何れか一項において、
前記移動リンクを表示した後、自動的に前記オーディオ情報および前記移動リンクを事前記憶リストに記憶するように配置される第１の記憶モジュール、
又は、
前記オーディオ情報および前記移動リンクを記憶するように指示するための記憶コマンドを受信し、前記オーディオ情報および前記移動リンクを事前記憶リストに記憶するように配置される第２の記憶モジュールを
更に含むことを特徴とするオーディオ情報識別装置。
【請求項１３】
プロセッサと、
前記プロセッサが実行可能なコマンドを記憶するための記憶装置とを含み、
前記プロセッサは、
再生中のオーディオを識別して、前記オーディオのオーディオ情報を獲得し、
前記オーディオ情報の中のキーワードのために設定した移動リンクを、情報提示インターフェースに表示し、
前記移動リンクがトリガーされると、前記キーワードに対応する事前記憶情報を表示するように配置される
ことを特徴とするオーディオ情報識別装置。
【発明の詳細な説明】
【技術分野】
【０００１】
本願は、2015年4月15日提出した出願番号が201510178987.0である中国特許の優先権を主張し、その全ての内容を本願に引用する。
【０００２】
本発明は、オーディオ識別技術分野に関し、特に、オーディオ情報識別方法及び装置に関する。
【背景技術】
【０００３】
ユーザーは、ラジオ放送を受信する時、受信中のオーディオの関連情報を知らないことが良くある。
【０００４】
ユーザーが受信したオーディオの関連情報を知るようにするために、一部のアプリケーションでは、受信した歌の歌名、演唱者、及び歌詞を識別でき、識別した歌名、演唱者、及び歌詞をユーザーに提示する。
【発明の開示】
【０００５】
本発明ではオーディオ情報識別方法及び装置を提供する。上記技術案は以下の通りである。
【０００６】
本発明の実施例の第１の視点によれば、オーディオ情報識別方法を提供する。上記方法は、
再生中のオーディオを識別して、前記オーディオのオーディオ情報を獲得するステップと、
前記オーディオ情報の中のキーワードのために設定した移動リンクを、情報提示インターフェースに表示するステップと、
前記移動リンクがトリガーされると、前記キーワードに対応する事前記憶情報を表示するステップとを含む。
【０００７】
本発明の実施例の第２の視点によれば、オーディオ情報識別装置を提供する。上記装置は、
再生中のオーディオを識別して、前記オーディオのオーディオ情報を獲得するように配置される識別モジュールと、
前記識別モジュールが識別して獲得した前記オーディオ情報の中のキーワードのために設定した移動リンクを、情報提示インターフェースに表示するように配置される第１の表示モジュールと、
前記第１の表示モジュールが表示した前記移動リンクがトリガーされると、前記キーワードに対応する事前記憶情報を表示するように配置される第２の表示モジュールとを
含む。
【０００８】
本発明の実施例の第３の視点によれば、オーディオ情報識別装置を提供する。上記装置は、
プロセッサと、
前記プロセッサが実行可能なコマンドを記憶するための記憶装置とを含み、
前記プロセッサは、
再生中のオーディオを識別して、前記オーディオのオーディオ情報を獲得し、
前記オーディオ情報の中のキーワードのために設定した移動リンクを、情報提示インターフェースに表示し、
前記移動リンクがトリガーされると、前記キーワードに対応する事前記憶情報を表示するように配置される。
【０００９】
本発明の実施例で提供する技術案は、以下のような有益な効果を含むことができる。
再生中のオーディオを識別することで、当該オーディオのオーディオ情報を獲得し、当該オーディオ情報の中のキーワードのために設定した移動リンクを表示し、移動リンクがトリガーされると、キーワードに対応する事前記憶情報を表示する。移動リンクを提供することで、オーディオに対応するより多い情報を提供できるため、一つのインターフェースのみでオーディオ情報を表示可能であり、提示可能な情報が比較的少ないという問題を解決し、オーディオ情報の多様性を向上させる効果を達成する。
【００１０】
尚、上述した通常的な説明と以下で行われる詳細な説明はただ例示的なものであり、本発明を制限するためのものではないことを理解すべきである。
【図面の簡単な説明】
【００１１】
ここで、図面は、明細書に含まれて明細書の一部を構成し、本発明に符合される実施例を示すものであり、明細書と共に本発明の原理を解釈するためのものである。
【図１】図１は、一つの例示的な実施例によるオーディオ情報識別方法を示すフローチャートである。
【図２Ａ】図２Ａは、他の一つの例示的な実施例によるオーディオ情報識別方法を示すフローチャートである。
【図２Ｂ】図２Ｂは、一つの例示的な実施例によるオーディオ情報取得方法を示すフローチャートである。
【図２Ｃ】図２Ｃは、一つの例示的な実施例によるオーディオ情報及び移動リンクを表示する模式図を示す。
【図２Ｄ】図２Ｄは、一つの例示的な実施例による移動ページを表示する模式図を示す。
【図３Ａ】図３Ａは、一つの例示的な実施例による受信したオーディオを再生又はダウンロードする方法を示すフローチャートである。
【図３Ｂ】図３Ｂは、一つの例示的な実施例によるオーディオの再生リンクおよびダウンロードリンクを表示する模式図を示す。
【図４Ａ】図４Ａは、一つの例示的な実施例によるオーディオ情報の中のキーワードの検索方法を示すフローチャートである。
【図４Ｂ】図４Ｂは、一つの例示的な実施例によるキーワードに対応する検索結果を表示する模式図を示す。
【図５】図５は、一つの例示的な実施例によるオーディオ情報識別装置のブロック図である。
【図６】図６は、他の一つの例示的な実施例によるオーディオ情報識別装置のブロック図である。
【図７】図７は、一つの例示的な実施例によるオーディオ情報を識別するための装置のブロック図である。
【発明を実施するための最良の形態】
【００１２】
ここで、例示的な実施例について詳細に説明し、その例を図面に示す。以下の説明が図面と関連される時、別の追加説明がない限り、異なる異なる図面における同一な符号は同一又は類似した要素を示す。以下の例示的な実施例で説明した実施形態は、本願に開示された内容と一致する全ての実施形態を表すのではなく、ただ特許請求の範囲で説明した、本発明の一部の方面と一致する装置及び方法の例を示すだけである。
【００１３】
図１は一つの例示的な実施例によるオーディオ情報識別方法を示すフローチャートである。図１に示されたように、該オーディオ情報識別方法は電子設備で使用される。該電子設備は、スマートフォン、タブレットPC、スマートTV、イーブック(e-book)閲覧器、マルチメディアプレーヤー(Multimedia Player)、ラップトップ(laptop)コンピューター、及びデスクコンピューター(desk computer)等であってもいい。当該オーディオ情報識別方法は、以下のステップを含むことができる。
【００１４】
ステップ101において、再生中のオーディオを識別して、当該オーディオのオーディオ情報を獲得する。
【００１５】
ステップ102において、オーディオ情報の中のキーワードのために設定した移動リンクを、情報提示インターフェースに表示する。
【００１６】
ステップ103において、移動リンクがトリガーされると、キーワードに対応する事前記憶情報を表示する。
【００１７】
上述したように、本発明の実施例で提供するオーディオ情報識別方法は、再生中のオーディオを識別することで、当該オーディオのオーディオ情報を獲得し、当該オーディオ情報の中のキーワードのために設定した移動リンクを表示し、移動リンクがトリガーされると、キーワードに対応する事前記憶情報を表示する。移動リンクを提供することで、オーディオに対応されているより多い情報を提供できるため、一つのインターフェースのみでオーディオ情報を表示可能であり、提示可能な情報が比較的に少ないという問題を解決し、オーディオ情報の多様性を向上させる効果を達成する。
【００１８】
図２Ａは他の一つの例示的な実施例によるオーディオ情報識別方法を示すフローチャートである。図２Ａに示されたように、該オーディオ情報識別方法は電子設備で使用される。該電子設備は、スマートフォン、タブレットPC、スマートTV、イーブック閲覧器、マルチメディアプレーヤー、ラップトップコンピューター、及びデスクコンピューター等であってもいい。当該オーディオ情報識別方法は、以下のステップを含むことができる。再生中のオーディオを識別する前に、電子設備は再生中のオーディオを取得すべきである。異なる需要を満たすために、電子設備の再生中のオーディオを取得する形態に対しても、対応的に調整しなければならない。詳しくは、下記ステップ201とステップ202を参照することができる。
【００１９】
ステップ201において、所定時間間隔毎に再生中のオーディオを取得する。
【００２０】
ここでの再生中のオーディオは、電子設備がラジオ放送を受信した後再生するオーディオであってもいいし、該電子設備周囲の他の設備で再生中のオーディオであってもいい。この時、電子設備は、オーディオを再生している他の設備で再生するオーディオを取得できる。当該オーディオは、音楽オーディオであってもいいし、番組オーディオであってもいいし、オーディオフックであってもいい。
【００２１】
電子設備は、所定時間間隔毎に再生中のオーディオを取得できる。該所定時間間隔はユーザーにより設定されることができ、例えば、該所定時間間隔は、3分、4分、又は5分などに設定できる。
【００２２】
電子設備の電力消耗を低下させるために、電子設備は、現在オーディオのリズムに所定閾値を超える変化が発生したことを検出した後、再生中のオーディオを取得できる。例えば、音楽オーディオを例にすると、一つの歌の再生が完了した後とその次の歌を再生する前には、一般的に一定な間隔が存在し、この時、オーディオのリズムと歌を再生している時のリズムには非常に大きい区別が存在する。従って、電子設備が、現在のオーディオのリズムが所定閾値を超える変化が発生したことを検出すると、再生する歌が変換されたことをいう。電子設備がこの時取得したオーディオは、変換した後の歌のオーディオである。
【００２３】
ステップ202において、再生中のオーディオを識別するための識別コマンドを受信して、再生中のオーディオを取得する。
【００２４】
ユーザーの需要をよりよく満たし、且つオーディオを頻繁に識別することによる電子設備の電力消耗を低下させるために、電子設備は、ユーザーがトリガーした、再生中のオーディオを識別するための識別コマンドを受信した後、再生中のオーディオを取得することができる。
【００２５】
一つの具体的な形態において、ユーザーが電子設備を使用してラジオ放送を受信している時、現在再生しているオーディオが面白いと感じて、当該オーディオの関連情報の取得を希望する場合、ユーザーは、再生中のオーディオを識別するための識別コマンドを該電子設備でトリガーして生成し、電子設備は該識別コマンドを受信した後、再生中のオーディオを取得することができる。
【００２６】
他の一つの具体的な形態において、他の設備がオーディオを再生しており、ユーザーが当該他の設備で再生しているオーディオの関連情報の取得を希望する場合、ユーザーは、所持している電子設備を動作させ、再生中のオーディオを識別するための識別コマンドを該電子設備でトリガーして生成し、電子設備は、該識別コマンドを受信した後、再生中のオーディオを取得することができる。
【００２７】
ユーザーが、該電子設備で再生中のオーディオを識別するための識別コマンドをトリガーして生成する時、電子設備の識別ウィジェットをトリガーして識別コマンドを生成してもいいし、電子設備に設置された、指定されたハードウェア（例えばボリューム調節キー）をトリガーして識別コマンドを生成してもいい。
【００２８】
ステップ203において、再生中のオーディオを識別して、当該オーディオのオーディオ情報を獲得する。
【００２９】
電子設備が再生中のオーディオを識別する時、先ず、当該オーディオのオーディオ特徴を識別して獲得して、当該オーディオ特徴をサーバーへ送信し、サーバーによりマッチングを行ってオーディオ情報を獲得できる。具体的な説明は下記ステップ203A乃至ステップ203Cを参照することができる。また、図２Ｂは、一つの例示的な実施例によるオーディオ情報取得方法を示すフローチャートである。
【００３０】
ステップ203Aにおいて、オーディオを識別して当該オーディオのオーディオ特徴を獲得する。当該オーディオ特徴は、当該オーディオのテキスト情報及び個人識別情報の中の前者又はこれら両者共に関連される。
【００３１】
電子設備は、取得した再生中のオーディオに対して識別を行い、当該オーディオのオーディオ特徴を獲得する。当該オーディオ特徴は、オーディオに現れたテキスト情報、語調特徴、又は音調特徴等と関連される。もし、声紋(Voiceprint)識別技術を通じてオーディオを識別する場合、当該オーディオ特徴は、当該オーディオの個人識別情報とも関連される。例えば、取得したオーディオが音楽オーディオである場合、識別を通じて獲得したテキスト情報は、取得したオーディオに対応されている歌詞であり、声紋識別を通じて獲得した個人識別情報は、当該オーディオに対応されている歌手である。取得したオーディオが番組オーディオである場合、識別を通じて獲得したテキスト情報は、取得したオーディオに対応されている番組の内容で、声紋識別を通じて獲得した個人識別情報は、当該オーディオに対応されている出演者である。
【００３２】
ステップ203Bにおいて、オーディオ特徴をサーバーへ送信する。当該オーディオ特徴は、サーバーをトリガーして当該オーディオ特徴とマッチングされるオーディオ情報を検索し、検索された当該オーディオ情報をフィードバックするためのものである。
【００３３】
電子設備は、獲得したオーディオ特徴をサーバーへ送信する。サーバーは、予め記憶されたデータベースに基づいて、当該オーディオ特徴とマッチングされるオーディオ情報を検索できる。サーバーは、オーディオ特徴とマッチングされるオーディオ情報が検索された後、当該オーディオ情報を電子設備へフィードバックする。
【００３４】
当該オーディオ情報は、当該オーディオ特徴と対応されているオーディオの所有者情報および当該オーディオに対応されているオーディオ名称等を含むことができる。例えば、再生中のオーディオが音楽オーディオである場合、オーディオ情報は、歌名、アルバム名称、歌手、及び歌詞等を含むことができる。再生中のオーディオが番組オーディオである場合、オーディオ情報は番組名称および出演者等を含むことができる。再生中のオーディオがオーディオフックのオーディオである場合、オーディオ情報は書籍の著者、書籍名、及び目次等を含むことができる。
【００３５】
ステップ203Cにおいて、サーバーからフィードバックされるオーディオ情報を受信する。
【００３６】
ステップ204において、オーディオ情報の中のキーワードのために設定した移動リンクを、情報提示インターフェースに表示する。
【００３７】
電子設備は、サーバーがフィードバックするオーディオ情報を受信した後、ユーザーが移動を通じてより多い情報を取得できるように、オーディオ情報の中のキーワードのために、移動リンクを設定できる。
【００３８】
ここでのキーワードは、当該オーディオの主な特徴を示すことができるキーワードであってもいい。例えば、再生中のオーディオが音楽オーディオである場合、キーワードは、歌名、歌手、及びアルバム名称等であってもいい。再生中のオーディオが番組オーディオである場合、キーワードは、番組名称と出演者等であってもいい。再生中のオーディオがオーディオフックのオーディオである場合、キーワードは、書籍の著者と書籍名等であってもいい。
【００３９】
例えば、図２Ｃは、一つの例示的な実施例によるオーディオ情報及び移動リンクを表示する模式図を示す。図２Ｃにおいて、オーディオが音楽オーディオである場合を例にすると、電子設備が受信したオーディオ情報は、“歌タイトル：《歌A》”、“歌手：歌手A”、“アルバム：《アルバムA》”、及び歌Aと対応されている歌詞である。電子設備は、“《歌A》”、“歌手A”、“《アルバムA》”のためにそれぞれ移動リンクを提供し、“歌タイトル：《歌A》”、“歌手：歌手A”、“アルバム：《アルバムA》”、及び歌Aと対応されている歌詞を情報提示インターフェースに表示する。
【００４０】
ステップ205において、移動リンクがトリガーされると、キーワードに対応する事前記憶情報を表示する。
【００４１】
情報提示インターフェースにおける移動リンクがトリガーされると、電子設備は、当該キーワードに対応する事前記憶情報を表示する。事前記憶情報は、一般的に、予め記憶されたキーワードの詳細な情報である。例えば、再生中のオーディオが音楽オーディオであり、且つ歌手名称の移動リンクがトリガーされる場合、電子設備は、当該歌手の詳細資料ページへ移動して表示し、再生中のオーディオが番組オーディオであり、且つ番組名称の移動リンクがトリガーされる場合、電子設備は、当該番組の詳細な紹介ページへ移動して表示し、再生中のオーディオがオーディオフックのオーディオであり、且つ書籍著者の移動リンクがトリガーされる場合、電子設備は、該書籍著者のコラムページへ移動して表示する。
【００４２】
例えば、図２Ｄは、一つの例示的な実施例による移動ページを表示する模式図を示す。図２Ｄにおいて、依然として、オーディオが音楽オーディオである場合を例にすると、情報提示インターフェースの“歌手A”がトリガーされる場合、電子設備は、当該歌手Aの詳細資料へ移動して表示する。
【００４３】
ユーザーに、識別を通じて獲得したオーディオ情報を便利に閲覧させるために、電子設備は、オーディオ情報の中のキーワードのために設定した移動リンクを情報提示インターフェースに表示した後、オーディオ情報と移動リンクを対応付けて記憶することができる。具体的には、下記ステップ206とステップ207を参照することができる。
【００４４】
ステップ206において、移動リンクを表示した後、自動的にオーディオ情報と移動リンクを事前記憶リストに記憶する。
【００４５】
電子設備が、オーディオ情報の中のキーワードのために設定した移動リンクおよびオーディオ情報を情報提示インターフェースに表示した後、自動的にオーディオ情報および移動リンクを事前記憶リストに記憶できる。ユーザーは、事前記憶リストを確認することで、記憶されたオーディオ情報を検索できる。
【００４６】
ステップ207において、オーディオ情報および移動リンクを記憶するように指示するための記憶コマンドを受信した後、当該オーディオ情報および当該移動リンクを事前記憶リストに記憶する。
【００４７】
電子設備は、オーディオ情報の中のキーワードのために設定した移動リンクおよびオーディオ情報を情報提示インターフェースに表示した後、ユーザーに、当該オーディオ情報および移動リンクを記憶するかを問い合わせることができる。オーディオ情報および移動リンクを記憶するように指示するための記憶コマンドを受信すると、当該オーディオ情報および該移動リンクを事前記憶リストに記憶する。
【００４８】
電子設備は、オーディオ情報および移動リンクを記憶するための記憶ウィジェットを情報提示インターフェースに表示できる。電子設備は、当該記憶ウィジェットがトリガーされたことを検出すると、対応されているオーディオ情報および移動リンクを事前記憶リストに記憶する。
【００４９】
一つの具体的な形態において、ユーザーの車載システムがラジオ放送を受信しており、且つ歌が再生中である場合、ユーザーは、車載システム又は所持しているスマートフォン等の設備を利用して、再生中のオーディオを識別できる。車載システム又はスマートフォン等の設備は、当該オーディオのオーディオ情報を獲得した後、当該オーディオ情報の中のキーワードのために設定した移動リンクを表示情報提示インターフェースにでき、ユーザーにより上述した移動リンクがトリガーされた後、当該キーワードと対応されている事前記憶情報を表示することができる。車載システムを利用して上述の移動リンクを表示する場合、ユーザーが車載システムに表示された移動リンク又は移動リンクと対応されている事前記憶情報を過多に注目して運転に影響することを避けるために、ユーザーが便利な時に、事前記憶リストの中の移動リンクおよびオーディオ情報を閲覧するように、自動的に、移動リンクおよびオーディオ情報を事前記憶リストに記憶することができる。勿論、ユーザーが、オーディオ情報および移動リンクを記憶するための記憶ウィジェットをトリガーし、車載システム又は所持したスマートフォン等の設備が、ユーザーが記憶ウィジェットをトリガーすることにより生成された記憶コマンドを受信した後、オーディオ情報および移動リンクを事前記憶リストに記憶して、ユーザーが便利な時に確認できるようにさせることもできる。
【００５０】
上述したように、本発明の実施例で提供するオーディオ情報識別方法は、再生中のオーディオを識別することで、当該オーディオのオーディオ情報を獲得し、当該オーディオ情報の中のキーワードのために設定した移動リンクを表示し、移動リンクがトリガーされると、キーワードに対応する事前記憶情報を表示する。移動リンクを提供することで、オーディオに対応されているより多い情報を提供できるため、一つのインターフェースのみでオーディオ情報を表示可能であり、提示可能な情報が比較的少ないという問題を解決し、オーディオ情報の多様性を向上させる効果を達成する。
【００５１】
また、オーディオ情報および移動リンクを事前記憶リストに記憶することで、該事前記憶リストを利用して、識別したことのあるオーディオのオーディオ情報を検索できるため、ユーザーが、最近識別したことのあるオーディオのオーディオ情報を確認できないという問題を解決し、オーディオ情報を検索する速度を向上させる効果を達成する。
【００５２】
ユーザーが受信したことのあるオーディオを再び便利に鑑賞又は所蔵することができるように、電子設備は、オーディオ情報の中のキーワードのために設定した移動リンクを表示する時、当該オーディオに対応されている完整なオーディオの再生リンクおよびダウンロードリンクも表示できる。図３Ａは一つの例示的な実施例による受信したオーディオを再生又はダウンロードする方法を示すフローチャートである。
【００５３】
ステップ301において、オーディオに対応されている完整なオーディオの再生リンクおよびダウンロードリンクを、情報提示インターフェースに表示する。
【００５４】
電子設備は、取得したオーディオ情報によって、オーディオに対応されている完整なオーディオの再生リンクおよびダウンロードリンクを取得し、当該再生リンクおよびダウンロードリンクを情報提示インターフェースに表示できる。
【００５５】
例えば、取得したオーディオ情報の中に歌名がある場合、当該歌名と対応されている歌の再生リンクおよびダウンロードリンクを表示できる。取得したオーディオ情報の中に番組名称がある場合、該プログラム名称と対応されている番組オーディオの再生リンクおよびダウンロードリンクを表示できる。取得したオーディオ情報の中に書籍名がある場合、該書籍名と対応されているオーディオフックの再生リンクおよびダウンロードリンクを表示できる。
【００５６】
例えば、図３Ｂは、一つの例示的な実施例によるオーディオの再生リンクおよびダウンロードリンクを表示する模式図を示す。図３Ｂにおいて、オーディオが音楽オーディオである場合を例にすると、電子設備は、情報提示インターフェースに、歌Aを再生するための再生リンク311と、歌Aをダウンロードするためのダウンロードリンク322を表示する。
【００５７】
なお、取得したオーディオ情報の中に書籍名がある場合、電子設備は、該書籍をダウンロードするためのダウンロードリンク、及びオンラインで該書籍を閲覧するためのリンクも表示できる。取得したオーディオ情報の中に番組名称があり、且つ該番組名称と対応されている番組の映像がある場合、電子設備は該番組の映像をダウンロードするためのダウンロードリンク、及び該プログラム映像を再生するための再生リンクも表示できる。
【００５８】
ステップ302において、再生リンクがトリガーされると、当該完整なオーディオを再生する。
【００５９】
ステップ303において、ダウンロードリンクがトリガーされると、当該完整なオーディオをダウンロードする。
【００６０】
電子設備は、再生リンクがトリガーされたことを検出すると、取得したオーディオに対応されている完整なオーディオを再生する。電子設備はダウンロードリンクがトリガーされたことを検出すると、取得したオーディオに対応されている完整なオーディオをダウンロードする。
【００６１】
上述したように、本発明の実施例では、オーディオに対応されている完整なオーディオの再生リンクおよびダウンロードリンクを情報提示インターフェースに表示し、再生リンクがトリガーされると、当該完整なオーディオを再生し、ダウンロードリンクがトリガーされると、当該完整なオーディオをダウンロードする。情報提示インターフェースに、再生リンクおよびダウンロードリンクを提供できるので、ユーザーが受信したことのあるオーディオを再び鑑賞又は所蔵しようとする場合、対応するプログラムを実行して検索してからオーディオを再生又はダウンロードしなければならないため、操作ステップが複雑である問題を解決し、操作ステップを簡単化して作業効率を向上させる効果を達成する。
【００６２】
オーディオ情報の中のキーワードに対するユーザの更なる了解を便利にさせるために、電子設備がオーディオ情報の中のキーワードのために設定した移動リンクを表示する時、さらに、オーディオ情報の中の各キーワードに対応する検索ウィジェットを表示することもできる。図４Ａは一つの例示的な実施例によるオーディオ情報の中のキーワードの検索方法を示すフローチャートである。
【００６３】
ステップ401において、オーディオ情報の中のキーワードに対応する検索ウィジェットを、情報提示インターフェース内に表示する。
【００６４】
キーワードに対応する情報をより多く表示して、ユーザーにキーワードと関連されている情報をより了解させるために、電子設備は、オーディオ情報の中のキーワードに対応する検索ウィジェットを、情報提示インターフェース内に表示できる。
【００６５】
ステップ402において、一つのキーワードの検索ウィジェットがトリガーされると、当該キーワードの検索インターフェースを表示する。当該検索インターフェースには当該キーワードに対応する検索結果が表示されている。
【００６６】
電子設備は、情報提示インターフェース内のあるキーワードの検索ウィジェットがトリガーされたことを検出すると、当該キーワードの検索インターフェースを表示し、当該検索インターフェース内に、当該キーワードに対応する検索結果を表示する。
【００６７】
例えば、図４Ｂは、一つの例示的な実施例による、キーワードに対応する検索結果を表示する模式図を示す。図４Ｂにおいて、取得したオーディオが音楽オーディオである場合を例にすると、電子設備は、歌手Aの検索ウィジェット411がトリガーされたことを検出すると、歌手Aと対応されている検索インターフェースを表示し、当該検索インターフェース内に、歌手Aと対応されている検索結果を表示する。
【００６８】
上述したように、本発明の実施例では、一つのキーワードの検索ウィジェットがトリガーされると、当該キーワードの検索インターフェースを表示する。当該検索インターフェースには、当該キーワードに対応する検索結果が表示されている。キーワードを検索するための検索ウィジェットを情報提示インターフェースに表示できるため、他のアプリケーションプログラムを実行して検索を行わなければならず、操作ステップが比較的に多いという問題を解決して、操作効率を向上させる効果を達成する。
【００６９】
尚、上述した図２Ａ及び図３Ａにおけるステップは一つの実施例に統合できる。上述した図２Ａ及び図４Ａにおけるステップは一つの実施例に統合できる。上述した図２Ａ、図３Ａ、及び図４Ａにおけるステップは一つの実施例に統合できる。
【００７０】
下記の説明は本発明の装置実施例であり、本発明の方法実施例を実行することができる。本発明の装置実施例で言及しない内容については、本発明の方法実施例を参照するようにする。
【００７１】
図５は一つの例示的な実施例によるオーディオ情報識別装置のブロック図である。図５に示されたように、当該オーディオ情報識別装置は、電子設備で使用される。該電子設備は、スマートフォン、タブレットPC、スマートTV、イーブック閲覧器、マルチメディアプレーヤー、ラップトップコンピューター、及びデスクコンピューター等であってもいい。当該オーディオ情報識別装置は、識別モジュール501、第１の表示モジュール502、及び第２の表示モジュール503を含むことができるが、これに限られない。
【００７２】
該識別モジュール501は、再生中のオーディオを識別して、当該オーディオのオーディオ情報を獲得するように配置される。
【００７３】
該第１の表示モジュール502は、識別モジュール501が識別して獲得したオーディオ情報の中のキーワードのために設定した移動リンクを情報提示インターフェースに表示するように配置される。
【００７４】
該第２の表示モジュール503は、第１の表示モジュール502が表示した移動リンクがトリガーされると、キーワードに対応する事前記憶情報を表示するように配置される。
【００７５】
上述したように、本発明の実施例で提供するオーディオ情報識別装置は、再生中のオーディオを識別することで、当該オーディオのオーディオ情報を獲得し、当該オーディオ情報の中のキーワードのために設定した移動リンクを表示し、移動リンクがトリガーされると、キーワードに対応する事前記憶情報を表示する。移動リンクを提供することで、オーディオに対応するより多い情報を提供できるため、一つのインターフェースのみでオーディオ情報を表示可能であり、提示可能な情報が比較的少ないという問題を解決し、オーディオ情報の多様性を向上させる効果を達成する。
【００７６】
図６は他の一つの例示的な実施例によるオーディオ情報識別装置のブロック図である。図６に示されたように、当該オーディオ情報識別装置は電子設備で使用される。該電子設備は、スマートフォン、タブレットPC、スマートTV、イーブック閲覧器、マルチメディアプレーヤー、ラップトップコンピューター、及びデスクコンピューター等であってもいい。当該オーディオ情報識別装置は、識別モジュール601、第１の表示モジュール602、及び第２の表示モジュール603を含むことができるが、これに限られない。
【００７７】
当該識別モジュール601は、再生中のオーディオを識別して、当該オーディオのオーディオ情報を獲得するように配置される。
【００７８】
当該第１の表示モジュール602は、識別モジュール601が識別して獲得したオーディオ情報の中のキーワードのために設定した移動リンクを情報提示インターフェースに表示するように配置される。
【００７９】
当該第２の表示モジュール603は、第１の表示モジュール602が表示した移動リンクがトリガーされると、キーワードに対応する事前記憶情報を表示するように配置される。
【００８０】
一つの可能な実施例において、該識別モジュール601は、識別サブモジュール601a、送信サブモジュール601b、及び受信サブモジュール601cを含むことができる。
【００８１】
当該識別サブモジュール601aは、オーディオを識別して当該オーディオのオーディオ特徴を獲得するように配置され、当該オーディオ特徴は、当該オーディオのテキスト情報及び個人識別情報の中の前者又はこれら両者に関連される。
【００８２】
当該送信サブモジュール601bは、識別サブモジュール601aが識別して獲得したオーディオ特徴をサーバーへ送信するように配置される。当該オーディオ特徴は、サーバーをトリガーして、当該オーディオ特徴とマッチングされるオーディオ情報を検索させ、検索された当該オーディオ情報をフィードバックさせるためのものである。
【００８３】
当該受信サブモジュール601cは、サーバーがフィードバックしたオーディオ情報を受信するように配置される。
【００８４】
一つの可能な実施例において、当該オーディオ情報識別装置は、第１の取得モジュール604又は第２の取得モジュール605を更に含むことができる。
【００８５】
当該第１の取得モジュール604は、所定時間間隔毎に再生中のオーディオを取得するように配置される。
【００８６】
当該第２の取得モジュール605は、再生中のオーディオを識別する識別コマンドを受信し、再生中のオーディオを取得するように配置される。
【００８７】
一つの実施例において、当該オーディオ情報識別装置は、第３の表示モジュール606、再生モジュール607、及びダウンロードモジュール608を更に含むことができる。
【００８８】
当該第３の表示モジュール606は、オーディオに対応する完整なオーディオの再生リンクおよびダウンロードリンクを、情報提示インターフェースに表示するように配置される。
【００８９】
当該再生モジュール607は、第３の表示モジュール606が表示した再生リンクがトリガーされると、完整なオーディオを再生するように配置される。
【００９０】
当該ダウンロードモジュール608は、第３の表示モジュール606が表示したダウンロードリンクがトリガーされると、完整なオーディオをダウンロードするように配置される。
【００９１】
一つの可能な実施例において、当該オーディオ情報識別装置は、第４の表示モジュール609と第５の表示モジュール610を更に含むことができる。
【００９２】
当該第４の表示モジュール609は、オーディオ情報の中のキーワードに対応する検索ウィジェットを、情報提示インターフェース内に表示するように配置される。
【００９３】
当該第５の表示モジュール610は、第４の表示モジュール609が表示した一つのキーワードの検索ウィジェットがトリガーされると、当該キーワードの検索インターフェースを表示するように配置され、当該検索インターフェース内には、当該キーワードに対応する検索結果が表示されている。
【００９４】
一つの可能な実施例において、当該オーディオ情報識別装置は、第１の記憶モジュール611又は第２の記憶モジュール612を更に含むことができる。
【００９５】
当該第１の記憶モジュール611は、移動リンクを表示した後、自動的にオーディオ情報および移動リンクを事前記憶リストに記憶するように配置される。
【００９６】
当該第２の記憶モジュール612は、オーディオ情報および移動リンクを記憶するように指示するための記憶コマンドを受信し、オーディオ情報および移動リンクを事前記憶リストに記憶するように配置される。
【００９７】
上述したように、本発明の実施例で提供するオーディオ情報識別装置は、再生中のオーディオを識別することで、当該オーディオのオーディオ情報を獲得し、当該オーディオ情報の中のキーワードのために設定した移動リンクを表示し、移動リンクがトリガーされると、キーワードに対応する事前記憶情報を表示する。移動リンクを提供することで、オーディオに対応されるより多い情報を提供できるため、一つのインターフェースのみでオーディオ情報を表示可能であり、提示可能な情報が比較的少ないという問題を解決し、オーディオ情報の多様性を向上させる効果を達成する。
【００９８】
また、オーディオ情報および移動リンクを事前記憶リストに記憶することで、当該事前記憶リストを利用して、識別したことのあるオーディオのオーディオ情報を検索できるため、ユーザーが、最近識別したことのあるオーディオのオーディオ情報を確認できないという問題を解決して、オーディオ情報を検索する速度を向上させる効果を達成する。
【００９９】
また、オーディオに対応する完整なオーディオの再生リンクおよびダウンロードリンクを情報提示インターフェースに表示し、再生リンクがトリガーされると、当該完整なオーディオを再生し、ダウンロードリンクがトリガーされると、当該完整なオーディオをダウンロードし、再生リンクおよびダウンロードリンクを情報提示インターフェースに提供できるため、ユーザーが受信したことのあるオーディオを再び鑑賞又は所蔵しようとする場合、対応するアプリケーションプログラム実行して検索してこそオーディオを再生又はダウンロードできることによる操作ステップが複雑になるという問題を解決し、操作ステップを簡単化して作業効率を向上させる効果を達成する。
【０１００】
また、一つのキーワードの検索ウィジェットがトリガーされると、当該キーワードの検索インターフェースを表示する。当該検索インターフェースには、当該キーワードに対応する検索結果が表示されている。キーワードを検索するための検索ウィジェットを情報提示インターフェースに表示できるため、他のアプリケーションプログラムを実行して検索を行わなければならず、操作ステップが比較的に多いという問題を解決し、操作効率を向上させる効果を達成する。
【０１０１】
上述した実施例における装置では、各モジュールが操作を行う具体的な形態については、既に上記の関連方法に関する実施例で詳細に説明したため、ここではその詳細な説明を省略することにする。
【０１０２】
本発明の一つの例示的な実施例ではオーディオ情報識別装置を提供する。上記装置は、本発明で提供するオーディオ情報識別方法を実現できる。当該オーディオ情報識別装置は、プロセッサ、及びプロセッサが実行可能なコマンドを記憶するための記憶装置、を含み、
ここで、プロセッサは、
再生中のオーディオを識別して、当該オーディオのオーディオ情報を獲得し、
オーディオ情報の中のキーワードのために設定した移動リンクを情報提示インターフェースに表示し、
移動リンクがトリガーされると、キーワードに対応する事前記憶情報を表示するように、配置される。
【０１０３】
図７は一つの例示的な実施例によるオーディオ情報を識別するための装置のブロック図である。例えば、装置700は、携帯電話、コンピューター、デジタル放送端末、メッセージ送受信設備、ゲームコンソール、タブレット設備、トレーニング設備、個人用情報端末(Personal Digital Assistant)等であってもよい。
【０１０４】
図７を参照すると、装置700は、プロセッサアセンブリ702、記憶装置704、電源アセンブリ706、マルチメディアアセンブリ708、オーディオアセンブリ710、入力／出力（I／O）インターフェース712、センサーアセンブリ714、及び通信アセンブリ716の中の一つ或いは複数の部材を含むことができる。
【０１０５】
プロセッサアセンブリ702は、一般的に装置700の全般的な操作、例えば、表示、電話の呼び出し、データ通信、カメラ操作、及び記録操作に関連する操作を制御する。プロセッサアセンブリ702は、一つ又は複数のプロセッサ718を含んでコマンドを実行することで、上述した方法の全部又は一部のステップを完了できる。尚、プロセッサアセンブリ702は、プロセッサアセンブリ702と他のアセンブリとの間のインタラクティブを便利にさせるため、一つ又は複数のモジュールを含むことができる。例えば、プロセッサアセンブリ702は、マルチメディアアセンブリ708とプロセッサアセンブリ702との間のインタラクティブを便利にさせるため、マルチメディアモジュールを含むことができる。
【０１０６】
記憶装置704は、さまざまなタイプのデータを保存するよう配置され、装置７００の操作をサポートする。このようなデータの例示的な例では、装置700で実行される全てのアプリケーション又は方法のためのコマンド、連絡先データ、電話帳データ、メッセージ、イメージ、映像等が含まれる。記憶装置704は、例えば、SRAM（static random access memory）、EEPROM(Electrically Erasable Programmable Read-Only Memory)、EPROM(Erasable Programmable Read Only Memory)、PROM(Programmable ROM)、リードオンリーメモリ（ROM）、磁気記憶装置、フラッシュメモリ(Flash Memory)、磁気ディスク、又は光ディスクなどの、任意タイプの揮発性又は非揮発性記憶装置又はそれらの組み合わせで実現できる。
【０１０７】
電源アセンブリ706は、装置700の各種のアセンブリに電力を提供する。電源アセンブリ706は、電源管理システム、一つ又は複数の電源、及び装置700のための電力の生成、管理、及び配分に関連される他のアセンブリを含むことができる。
【０１０８】
マルチメディアアセンブリ708は、装置700とユーザーとの間に一つの出力インターフェースを提供するスクリーンを含む。一部の実施例において、スクリーンは、液晶表示装置（LCD）とタッチパネル（TP）を含むことができる。もし、スクリーンがタッチパネルを含むと、スクリーンはタッチスクリーンとして実現され、ユーザーからの入力信号を受信することができる。タッチパネルは、タッチ、スライド、及びタッチパネル上の手振りを検知できるように、一つ又は複数のタッチセンサーを含むことができる。タッチセンサーは、タッチ又はスライド動作の境界を検知できるだけではなく、タッチ又はスライド操作に関連する持続時間と圧力も検知できる。一部の実施例において、マルチメディアアセンブリ708は、一つの前面カメラ及び／又は後面カメラを含む。装置700が操作モード、例えば撮影モード又はビデオモードにある場合、前面カメラ及び／又は後面カメラは外部のマルチメディアデータを受信できる。前面カメラおよび後面カメラのそれぞれは、固定された光学レンズシステムであってもいいし、又は焦点距離と光学ズーム能力を有してもいい。
【０１０９】
オーディオアセンブリ710は、オーディオ信号を出力及び／又は入力するように配置される。例えば、オーディオアセンブリ710は、一つのマイク（MIC）を含む。装置700が操作モード、例えば呼び出しモード、記録モード、及び音声オーディオ識別モードにある場合、マイクは外部のオーディオ信号を受信するように配置される。受信されたオーディオ信号は、更に記憶装置704に記憶されるか、又は通信アセンブリ716を経由して送信されることができる。一部の実施例において、オーディオアセンブリ710は、オーディオ信号を出力するための一つのスピーカーを更に含む。
【０１１０】
I／Oインターフェース712は、プロセッサアセンブリ702と外部インターフェースモジュールとの間にインターフェースを提供する。上記の外部インターフェースモジュールは、キーボード、クリックホイール、ボタン等であってもよい。このようなボタンは、メインページボタン、音量ボタン、スタートボタン、及びロックボタンを含むことができるが、これに限られない。
【０１１１】
センサーアセンブリ714は、装置700へ各方面の状態に対する評価を提供するための一つ又は複数のセンサーを含む。例えば、センサーアセンブリ714は、装置700のオン／オフ状態、アセンブリ（例えば、アセンブリは装置700の表示装置およびキーパッド）の相対的位置を検出できる。センサーアセンブリ714は、装置700又は装置700の一つのアセンブリの位置変化、ユーザーと装置700との間の接触の発生有無、装置700の方向及び位置、又は加速／減速、及び装置700の温度変化も検出できる。センサーアセンブリ714は、如何なる物理接触も発生しない時の、付近の物の存在を検出するための近接センサーを含むことができる。センサーアセンブリ714は、CMOSまたはCCDイメージセンサのように、イメージングアプリケーションで使用される光センサーを更に含むことができる。一部の実施例において、該センサーアセンブリ714は、加速度センサー、ジャイロスコープセンサー、磁気センサー、圧力センサー又は温度センサーを更に含むことができる。
【０１１２】
通信アセンブリ716は、装置700と他の設備との間で有線又は無線によって便利に通信できるように配置される。装置700は、通信標準に基づく無線インターネット、例えば、Wi-Fi（登録商標）、2G又は3G、又はそれらの組み合わせにアクセスできる。一つの例示的な実施例において、通信アセンブリ716は、放送チャンネルを通じて外部放送管理システムからの放送信号又は放送関連情報を受信する。一つの例示的な実施例において、通信アセンブリ716は、近距離無線通信（NFC、Near Field Communication）モジュールを更に含み、近距離通信をサポートする。例えば、NFCモジュールは、RFID（radio frequency identification、無線周波数認識）技術、IrDA（Infrared Data Association、赤外線通信規格）技術、超広帯域通信（UWB）技術、ブルートゥース（BT）（登録商標）技術、及び他の技術に基づいて実現できる。
【０１１３】
例示的な実施例において、装置700は、上記のオーディオ情報識別方法を実行するための、一つ又は複数のASIC（application specific integrated circuit、特定用途向け集積回路）、デジタルシグナルプロセッサ（DSP、digital signal processor）、デジタル信号処理装置（DSPD）、プログラマブルロジックデバイス（PLD、Programmable Logic Device）、FPGA（field-programmable gate array、フィールド・プログラマブル・ゲート・アレイ）、コントローラ、マイクロコントローラ、マイクロプロセッサ、又は他の電気素子によって実現することができる。
【０１１４】
例示的な実施例では、コマンドを含んでいる非一時的(non-transitory)コンピューター読取可能な記憶媒体、例えば、コマンドを含んでいる記憶装置704を更に提供する。上記のコマンドは、上記のオーディオ情報識別方法を完了させるように、装置700のプロセッサ718によって実行されることができる。例えば、非一時的コンピューター読取可能な記憶媒体は、ROM、ランダムアクセスメモリ（RAM）、CD-ROM、磁気テープ、フロッピーディスク(floppy disk)（登録商標）、及び光データ記憶装置等であってもよい。
【０１１５】
当業者は、明細書の内容を考慮し、ここに開示された発明を実施した後、本発明の他の実施方案を容易に想到できる。本願は、本文に開示された発明に対する全ての変形、用途、及び適当な変化を含み、このような変形、用途、及び適当な変化は全て本発明の一般的な原理に基づくものであり、本願に開示されていない当分野の周知常識又は常套的技術手段を含む。明細書と実施例はただ例示に過ぎず、本発明で保護しようとする範囲と宗旨は以下の特許請求の範囲によって決められる。
【０１１６】
尚、本願は上述した説明及び図面に示された精密な構成に限られず、本願の範囲を超えない範囲内で、本願に対していろいろな修正及び変形を行える。本願の範囲は特許請求の範囲だけによって決められる。
【図１】
2017517828.tif 000003
【図２Ａ】
2017517828.tif 000004
【図２Ｂ】
2017517828.tif 000005
【図２Ｃ】
2017517828.tif 000006
【図２Ｄ】
2017517828.tif 000007
【図３Ａ】
2017517828.tif 000008
【図３Ｂ】
2017517828.tif 000009
【図４Ａ】
2017517828.tif 000010
【図４Ｂ】
2017517828.tif 000011
【図５】
2017517828.tif 000012
【図６】
2017517828.tif 000013
【図７】
2017517828.tif 000014
【国際調査報告】
2017517828.tif 000015
2017517828.tif 000016
2017517828.tif 000017
2017517828.tif 000018